(57)【要約】      （修正有）【課題】コネクタの全長をコネクタ本体の全長と等しくし、薄型化を図ることができる照明器具を提供する。【解決手段】照明器具１０は、器具本体１１と、器具本体１１に組付けられた取付ホルダ１２と、取付ホルダ１２に内嵌されたアダプタ１３と、アダプタ１３に挿入接続されるコネクタ１４と、を備え、コネクタ１４のアダプタ１３ヘの接続部とは逆側の後端面にリード線２３の第１引出口２４を設け、その側面に第２引出口２５を第１引出口２４に連続して形成した。【選択図】図１
2011096382.tif 000002
【特許請求の範囲】
【請求項１】
引掛シーリングボディに接続固定することにより器具本体を機械的及び電気的に接続保持するアダプタに電気的に接続するためのコネクタを有する照明器具であって、
前記コネクタは、絶縁物からなるコネクタ本体と、前記コネクタ本体に内蔵された接触端子と、前記接触端子に接続されたリード線とで構成されており、前記アダプタヘの接続部とは逆側の後端面に前記リード線の第１引出口を設け、その側面に第２引出口を前記第１引出口に連続して形成したことを特徴とする照明器具。
【請求項２】
前記コネクタは、前記第１引出口と前記第２引出口との間に、前記リード線の外径よりも狭い部分を有することを特徴とする請求項１に記載した照明器具。
【請求項３】
前記コネクタは、前記アダプタからの抜け止めロック部を有し、前記コネクタ本体側に押し付けてロックを解除する解除レバーが前記第２引出口のある面の反対の面に設けられ、前記リード線を前記第１引出口から前記第２引出口の奥の方へ押し付けたときに、前記第２引出口のある面に解除操作時のツマミ代となるスペースが得られるように前記第２引出口を設定したことを特徴とする請求項１または２に記載した照明器具。
【請求項４】
前記コネクタは、前記第２引出口のある側面から突出し、前記第２引出口を囲む略Ｕ字の壁部を有することを特徴とする請求項１〜３のいずれかに記載した照明器具。
【請求項５】
前記コネクタの前記第１引出口を塞ぎ、前記第２引出口のみから前記リード線が出ないようにランプを配置したことを特徴とする請求項１〜４のいずれかに記載した照明器具。
【請求項６】
前記コネクタは、後端面に追加されて前記第１引出口を塞ぎ、前記第２引出口のみを使用可能とするためのコネクタカバーを備えたことを特徴とする請求項１〜５のいずれかに記載した照明器具。
【発明の詳細な説明】
【技術分野】
【０００１】
本発明は、引掛シーリングボディにアダプタを接続固定することにより住宅等の天井面に直接取り付けられる直付型の照明器具に関する。
【背景技術】
【０００２】
従来の照明器具の一例として、リード線の先端に接続されたコネクタをアダプタに装着するようにしたものがある（例えば、特許文献１参照）。
【先行技術文献】
【特許文献】
【０００３】
【特許文献１】特開２００８−４７３６０号公報（図１、段落番号００２１）
【発明の概要】
【発明が解決しようとする課題】
【０００４】
ところが、特許文献１に開示された従来の照明器具においては、コネクタから引き出されたリード線が、コネクタの挿入方向と同一軸上逆方向の下方に向けて引き出されている。
従って、特許文献１の照明器具においては、リード線をコネクタの挿入方向に対して直交する方向に引き出す場合、リード線をコネクタの引き出し部分から直角方向に曲げたとしても、少なくともリード線の直径分がコネクタ本体から突出することになり、薄型化を阻害する要因となっていた。
【０００５】
本発明は、前述した課題を解決するためになされたものであり、その目的は、薄型化できる照明器具を提供することにある。
【課題を解決するための手段】
【０００６】
本発明に係る照明器具は、引掛シーリングボディに接続固定することにより器具本体を機械的及び電気的に接続保持するアダプタに電気的に接続するためのコネクタを有する照明器具であって、前記コネクタは、絶縁物からなるコネクタ本体と、前記コネクタ本体に内蔵された接触端子と、前記接触端子に接続されたリード線とで構成されており、前記アダプタヘの接続部とは逆側の後端面に前記リード線の第１引出口を設け、その側面に第２引出口を前記第１引出口に連続して形成したことを特徴とする。
【０００７】
本発明においては、リード線を、コネクタのアダプタヘの接続部とは逆側の後端面に配置された第１引出口と、コネクタの側面において第１引出口に連続して配置された第２引出口との２方向に引き出すことができる。
これにより、本発明においては、リード線をコネクタの側面の第２引出口から引き出すことにより、リード線はコネクタの挿入方向と同一軸上逆方向の下方に向けて引き出されることがなくなって、コネクタの全長をコネクタ本体の全長と等しくすることができる。
従って、本発明においては、全体を薄型化できる。
【０００８】
本発明に係る照明器具は、上記照明器具において、前記コネクタは、前記第１引出口と前記第２引出口との間に、前記リード線の外径よりも狭い部分を有することを特徴とする。
【０００９】
本発明においては、リード線は、第１引出口と第２引出口との間においてリード線の外径よりも狭い部分に保持される。
これにより、本発明においては、第２引出口からリード線を水平方向に引き出した場合に、コネクタ本体の後端からリード線が突出したり、リード線が垂れたりしないようにすることができる。
従って、本発明においては、リード線が突出したり垂れたりしてランプに干渉することがなくなって、ランプの固定を不完全にするような問題を回避することができる。加えて、リード線が突出したり垂れたりしてランプに触れることによりリード線に熱的な問題を生ずる虞もなくなる。
【００１０】
本発明に係る照明器具は、上記照明器具において、前記コネクタは、前記アダプタからの抜け止めロック部を有し、前記コネクタ本体側に押し付けてロックを解除する解除レバーが前記第２引出口のある面の反対の面に設けられ、前記リード線を前記第１引出口から前記第２引出口の奥の方へ押し付けたときに、前記第２引出口のある面に解除操作時のツマミ代となるスペースが得られるように前記第２引出口を設定したことを特徴とする。
【００１１】
本発明においては、第２引出口は、リード線を第１引出口から第２引出口の奥の方へ押し付けたときに、第２引出口のある面に解除操作時のツマミ代となるスペースを設定する。
これにより、本発明においては、リード線を第１引き出し口あるいは第２引出口から引き出したとしても、解除レバーの対面に解除操作時のツマミ代となるスペースが確保される。
従って、本発明においては、リード線によって阻害されることなく、リード線の確実な解除操作を行うことができる。
【００１２】
本発明に係る照明器具は、上記照明器具において、前記コネクタは、前記第２引出口のある側面から突出し、前記第２引出口を囲む略Ｕ字の壁部を有することを特徴とする。
【００１３】
本発明においては、コネクタは、第２引出口のある側面から突出して第２引出口を囲む略Ｕ字の壁部が形成されている。
これにより、本発明においては、コネクタ本体に内蔵される接触端子から外郭までの絶縁距離を長くすることができるとともに、解除レバーからその対面の距離を長くすることができる。
従って、本発明においては、解除操作時に力を入れやすくなって操作性の向上を図ることができる。
【００１４】
本発明に係る照明器具は、上記照明器具において、前記コネクタの前記第１引出口を塞ぎ、前記第２引出口のみから前記リード線が出ないようにランプを配置したことを特徴とする。
【００１５】
本発明においては、コネクタ直下にランプを組付ける場合、ランプによってリード線の引き出し方向を制限することができる。コネクタの着脱はランプが無い状態で行うため、リード線を真っ直ぐ引き出すこともできる。
従って、本発明においては、解除操作時に障害を生ずることなく操作性の向上を図ることができる。
【００１６】
本発明に係る照明器具は、上記照明器具において、前記コネクタは、後端面に追加されて前記第１引出口を塞ぎ、前記第２引出口のみを使用可能とするためのコネクタカバーを備えたことを特徴とする。
【００１７】
本発明においては、コネクタカバーは、コネクタの第１引出口を塞ぐことにより第２引出口のみを使用可能とする。
これにより、本発明においては、リード線の引き出し方向が、コネクタの挿入方向の直交する水平方向に限定される。
従って、本発明においては、コネクタの全長をコネクタ本体の全長と等しくすることにより、全体を薄型化できる。
【発明の効果】
【００１８】
本発明の照明器具によれば、コネクタは、アダプタヘの接続部とは逆側の後端面にリード線の第１引出口を設け、その側面に第２引出口を第１引出口に連続して形成した。
これにより、本発明の照明器具によれば、薄型化できるという効果を有する。
【図面の簡単な説明】
【００１９】
【図１】本発明に係る第１実施形態の照明器具のコネクタ装着前の垂直断面図
【図２】図１の照明器具のコネクタ装着後の垂直断面図
【図３】図１の照明器具に適用されるコネクタにおけるリード線を第２引出口から引き出した状態の斜め下方から視た外観斜視図
【図４】図１の照明器具に適用されるコネクタにおけるリード線を第１引出口から引き出した状態の斜め下方から視た外観斜視図
【図５】図３のコネクタの垂直断面図
【図６】図２の照明器具の垂直断面図
【図７】図３のコネクタの側面図
【図８】本発明に係る第２実施形態の照明器具に適用されるコネクタにおけるコネクタカバーの装着前の垂直断面図
【図９】図８のコネクタにおけるコネクタカバーの装着後の垂直断面図
【図１０】本発明に係る第３実施形態の照明器具のコネクタ装着後の側面図
【発明を実施するための形態】
【００２０】
以下、本発明の複数の実施形態に係る照明器具について図面を参照して説明する。
【００２１】
（第１実施形態）
図１、図２に示すように、本発明の第１実施形態である照明器具１０は、器具本体１１と、器具本体１１に組付けられた取付ホルダ１２と、取付ホルダ１２に内嵌されたアダプタ１３と、アダプタ１３に挿入接続されるコネクタ１４と、を備え、器具本体１１に不図示の円環形状の蛍光ランプを保持し、器具本体１１に不図示のカバーを装着して、アダプタ１３を天井面１に設置されている引掛けシーリングボディ２に引っ掛けて天井面１に取り付けられる。
【００２２】
器具本体１１は、例えば薄板鋼板材を用いて円板形状に形成されている。器具本体１１の中央部には取付ホルダ１２を装着させるためのホルダ取付孔１５が形成されている。器具本体１１は、その外縁部の下面に複数の不図示のランプ保持部品を取り付けており、これらランプ保持部品を介して蛍光ランプが保持される。
【００２３】
取付ホルダ１２は、例えば硬質の樹脂材料を用いて小判形状等の外観に形成されて中央部に円環部１６を有し、器具本体１１のホルダ取付孔１５に内嵌されている。取付ホルダ１２は、円環部１６の内周部にアダプタ係止用の係止突部受１７を有する。
【００２４】
アダプタ１３は、取付ホルダ１２の円環部１６に内嵌される外径を有し、内部に一対のアダプタ端子１８を収容している。アダプタ端子１８は、その一端部に、引掛けシーリングボディ２内の不図示の給電端子に引掛けられて給電端子に電気的に接続される屈曲端部１９を有する。アダプタ端子１８は、その他端部に、アダプタ１３に形成されている不図示の端子キャビティ内に収容される不図示の軸形状のコネクタ接続端部を有する。アダプタ１３は、その外周部に形成されている係止突部２０を取付ホルダ１２の係止突部受１７に係止することにより取付ホルダ１２に組付けられる。
【００２５】
図３、図４、図５、図６に示すように、コネクタ１４は、硬質の絶縁性を有する樹脂材料を用いて四角形の筒形状に形成されたコネクタ本体２１と、コネクタ本体２１に内蔵された一対の接触端子２２と、接触端子２２に電気的に接続された一対のリード線２３と、を備える。
【００２６】
コネクタ１４は、コネクタ本体２１のアダプタ１３ヘの接続先端部とは逆側の後端面に、リード線２３をコネクタ１４の挿入方向と同一軸上逆方向の下方に向けて引き出すための一対の第１引出口２４を設けており、コネクタ本体２１の側面に、リード線２３をコネクタ１４の挿入方向に直交する水平方向に向けて引き出すための一対の第２引出口２５を一対の第１引出口２４に連続して形成している。
【００２７】
コネクタ１４は、コネクタ本体２１において第２引出口２５のある側面から突出し、第２引出口２５を囲む略Ｕ字の壁部２６を水平方向に突出形成しており、第１引出口２４と第２引出口２５との間に、リード線２３の外径よりも狭い内径を有してリード線２３を保持することができるリード線挟持部２７を形成している。
【００２８】
コネクタ１４は、コネクタ本体２１の第２引出口２５のある側面の反対側に、アダプタ１３に係止される抜け止めロック部２８を一端部に有するシーソー式の解除レバー２９を備えている。解除レバー２９は、コネクタ１４のコネクタ本体２１がアダプタ１３に挿入接続された際にアダプタ１３に有する不図示の係止部に抜け止めロック部２８が係止されて抜け止められる。
【００２９】
これに対して、解除レバー２９は、抜け止めロック部２８がアダプタ１３の係止部に係止している装着時に、抜け止めロック部２８の反対側を押圧することにより抜け止めロック部２８が係止部から解除される。このとき、リード線２３を第１引出口２４から第２引出口２５の奥の方へ押し付けたときに、第２引出口２５のある方の側面の壁部２６の下方に解除操作時のツマミ代となるスペース部３０が配置されるように第２引出口２５が設定されている。
【００３０】
接触端子２２は、その先端部にアダプタ端子１８のコネクタ接続端部に接続される筒形状のアダプタ端子接続部３１を有し、その基端部にリード線２３に有する芯線３２にカシメ接続されるリード線把持部３３を有する。
【００３１】
リード線２３は、器具本体１１に取り付けられる不図示の安定器に電気的に接続される。安定器は不図示の器具配線を通じて不図示のソケットに電気的に接続される。
【００３２】
図７に示すように、照明器具１０は、コネクタ１４が取付ホルダ１２に組付けられたアダプタ１３に挿入接続されることにより、コネクタ１４に内蔵されている接触端子２２のアダプタ端子接続部３１がアダプタ１３に内蔵されているアダプタ端子１８のコネクタ接続端部に電気的に接続されて商用電源から蛍光ランプまでの給電回路が形成される。
【００３３】
このとき、リード線２３を第２引出口２５から引き出してリード線挟持部２７によりリード線２３を水平方向に保持することにより、リード線２３がコネクタ１４の挿入方向に直交する水平方向に向けて引き出される。これにより、リード線２３は、コネクタ１４の挿入方向と同一軸上逆方向の下方に向けて引き出されずに、コネクタ１４の全長がコネクタ本体２１の全長と等しくなる。
【００３４】
本発明の第１実施形態の照明器具１０では、リード線２３を、コネクタ１４のアダプタ１３ヘの接続部とは逆側の後端面に配置された第１引出口２４と、コネクタ１４の側面において第１引出口２４に連続して配置された第２引出口２５との２方向に引き出すことができる。
これにより、本発明の第１実施形態の照明器具１０では、リード線２３をコネクタ１４の側面の第２引出口２５から引き出すことにより、リード線２３はコネクタ１４の挿入方向と同一軸上逆方向の下方に向けて引き出されることがなくなって、コネクタ１４の全長をコネクタ本体２１の全長と等しくすることができる。
従って、本発明の第１実施形態の照明器具１０では、全体を薄型化できる。
【００３５】
本発明の第１実施形態の照明器具１０では、リード線２３は、第１引出口２４と第２引出口２５との間においてリード線２３の外径よりも狭いリード線挟持部２７に保持される。
これにより、本発明の第１実施形態の照明器具１０では、第２引出口２５からリード線２３を水平方向に引き出した場合に、コネクタ本体２１の後端からリード線２３が突出したり、リード線２３が垂れたりしないようにすることができる。
従って、本発明の第１実施形態の照明器具１０では、リード線２３が突出したり垂れたりして蛍光ランプに干渉することがなくなって、蛍光ランプの固定を不完全にするような問題を回避することができる。加えて、リード線２３が突出したり垂れたりして蛍光ランプに触れることによりリード線２３に熱的な問題を生ずる虞もなくなる。
【００３６】
本発明の第１実施形態の照明器具１０では、第２引出口２５は、リード線２３を第１引出口２４から第２引出口２５の奥の方へ押し付けたときに、第２引出口２５のある面に解除操作時のツマミ代となるスペース部３０を設定する。
これにより、本発明の第１実施形態の照明器具１０では、リード線２３を第１引出口２４あるいは第２引出口２５から引き出したとしても、解除レバー２９の対面に解除操作時のツマミ代となるスペース部３０が確保される。
従って、本発明の第１実施形態の照明器具１０では、リード線２３によって阻害されることなく、リード線２３の確実な解除操作を行うことができる。
【００３７】
本発明の第１実施形態の照明器具１０では、コネクタ１４は、第２引出口２５のある側面から突出して第２引出口２５を囲む略Ｕ字の壁部２６が形成されている。
これにより、本発明の第１実施形態の照明器具１０では、コネクタ本体２１に内蔵される接触端子２２から外郭までの絶縁距離を長くすることができるとともに、解除レバー２９からその対面の距離を長くすることができる。
従って、本発明の第１実施形態の照明器具１０では、解除操作時に力を入れやすくなって操作性の向上を図ることができる。
【００３８】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３９】
図８、図９に示すように、本発明の第２実施形態の照明器具５０は、第１引出口２４を塞ぐものとして第２引出口２５のみを使用可能とするためのコネクタカバー５２をコネクタ５１の後端面に備えている。
【００４０】
コネクタカバー５２は、コネクタ本体２１と同様の硬質の絶縁性を有する樹脂材料を用いて板形状に形成されており、第２引出口２５からリード線２３を引き出した後に、第２引出口２５の下端部に組付けられる。
【００４１】
本発明の第２実施形態の照明器具５０では、コネクタカバー５２は、コネクタ５１の第１引出口を塞ぐことにより第２引出口２５のみを使用可能とする。
これにより、本発明の第２実施形態の照明器具５０では、リード線２３の引き出し方向が、コネクタ５１の挿入方向の直交する水平方向に限定される。
従って、本発明の第２実施形態の照明器具５０では、コネクタ５１の全長をコネクタ本体の全長と等しくすることにより、全体を薄型化できる。
【００４２】
（第３実施形態）
次に、本発明の第３実施形態の照明器具について説明する。
図１０に示すように、本発明の第３実施形態の照明器具６０は、コネクタ１４の第１引出口２４を塞ぐように蛍光ランプ６１を取り付けることにより、第２引出口２５のみからリード線２３を引き出すようにした。
【００４３】
蛍光ランプ６１は、平面スパイラル型の蛍光ランプであり、上面にランプ支持用の樹脂製の板部６２を有する。そのため、蛍光ランプ６１は、板部６２でコネクタ５１の第１引出口を塞ぐように器具本体１１に保持されることにより、第２引出口２５のみを使用可能とすることができる。
【００４４】
本発明の第３実施形態の照明器具６０では、コネクタ１４の直下に蛍光ランプ６１を組付ける場合、蛍光ランプ６１によってリード線２３の引き出し方向を制限することができる。コネクタ１４の着脱は蛍光ランプ６１が無い状態で行うため、リード線２３を真っ直ぐ引き出すこともできる。
従って、本発明の第３実施形態の照明器具６０では、解除操作時に障害を生ずることなく操作性の向上を図ることができる。
【００４５】
なお、前記各実施形態で使用した器具本体１１、取付ホルダ１２、アダプタ１３等は例示したものに限定するものではなく適宜変更が可能である。
【符号の説明】
【００４６】
１  天井面
２  引掛シーリングボディ
１０、５０、６０  照明器具
１１  器具本体
１３  アダプタ
１４、５１  コネクタ
２１  コネクタ本体
２２  接触端子
２３  リード線
２４  第１引出口
２５  第２引出口
２６  壁部
２８  抜け止めロック部
２９  解除レバー
３０  スペース部（スペース）
５２  コネクタカバー
６１  蛍光ランプ（ランプ）
【図１】
2011096382.tif 000003
【図２】
2011096382.tif 000004
【図３】
2011096382.tif 000005
【図４】
2011096382.tif 000006
【図５】
2011096382.tif 000007
【図６】
2011096382.tif 000008
【図７】
2011096382.tif 000009
【図８】
2011096382.tif 000010
【図９】
2011096382.tif 000011
【図１０】
2011096382.tif 000012